(57)【特許請求の範囲】
【請求項１】
入金された硬貨を一時貯留する一時貯留部と、この一時貯留部に一時貯留された硬貨を収納する収納部とを有する硬貨処理機において、
前記一時貯留部は上下方向に開口した一時保留枠を含み、この一時保留枠の一側面が切り欠き開口され、この開口に案内部を臨ませ、この案内部と前記一時貯留部とを相対的に水平移動させて前記案内部とこの案内部と向き合う前記一時貯留部を形成する一時保留枠の内面との間で架橋状となった硬貨を摺動により崩して前記一時貯留部の底面方向に落下させる
ことを特徴とする硬貨処理機。
【請求項２】
入金された硬貨を一時貯留する一時貯留部と、この一時貯留部に一時貯留された硬貨を収納する収納部と、前記一時貯留部に貯留された硬貨を返却する返却部とを有する硬貨処理機において、
前記一時貯留部は選択的に前記収納部と返却部に向けて水平移動可能とし、この一時保留部は上下方向に開口した一時保留枠を含み、この一時保留枠の一側面が切り欠き開口され、この開口に案内部を臨ませ、この案内部に沿って前記一時貯留部を前記収納部または返却部に向けて水平移動させて前記案内部とこの案内部と向き合う前記一時貯留部を形成する一時保留枠の内面との間で架橋状となった硬貨を摺動により崩して前記一時貯留部の底面方向に落下させて前記収納部または返却部に落下させる
ことを特徴とする硬貨処理機。
【請求項３】
案内部は収納部から返却部間に延在し、この案内部には一時貯留部に向けて突出した一以上の突出部を形成したことを特徴とする請求項２記載の硬貨処理機。
【発明の詳細な説明】
【０００１】
【発明の属する技術分野】
本発明は硬貨入金機、硬貨入出金機、または自動販売機など、入金された硬貨を一時貯留し、入金処理、或いは返却処理により一時貯留された硬貨を収納部または返却部に放出する硬貨処理機に関する。
【０００２】
【従来の技術】
例えば、特開平８−１５３２３１号公報に記載されているように、入金された硬貨を一時貯留し、この硬貨を一時貯留した一時保留部を入金処理、或いは返却処理により選択的に収納部または返却部に水平移動させて、一時貯留された硬貨を収納部または返却部に放出する硬貨処理機においては、一時貯留部から硬貨を放出するときに、硬貨が一時貯留部にその互いに対向する内面間に硬貨が架橋状に詰まっていると、一時貯留部に貯留されていた硬貨の一部が放出されずに残留されたままの不都合な状態が生じることがあった。このため、硬貨が架橋状態に詰まることがないようにするには、一時保留部の互いに向き合う内面間の寸法を大きくする必要があった。
【０００３】
また、特開平６−３６１０９号公報に記載されているように、入金された硬貨を選別部に送り込むときに、硬貨が一時貯留部に架橋状になった状態を強制的に崩して選別部に送り込むことができるようにした装置として、硬貨収納装置において、硬貨収納室の内壁部に駆動源により回転されるゴムローラを設け、このゴムローラの回転に伴い、このゴムローラに設けた突起部が収納されている硬貨を掻き上げて硬貨の架橋状態を崩すようにした構成が知られている。この突起部を有するゴムローラを硬貨を一時貯留する一時貯留部に設けることが考えられるが、このゴムローラから離れた位置で架橋状態が生じた場合には硬貨の詰まりを解消できない問題を有している。
【０００４】
【発明が解決しようとする課題】
前記特開平８−１５３２３１号公報に記載されているように、一時貯留部を入金処理、或いは返却処理により選択的に収納部または返却部に水平移動させて一時貯留された硬貨を放出する装置では、硬貨が架橋状態に詰まることがないようにするには、一時保留部の互いに向き合う内面間の寸法を大きくする必要があり、装置全体が大きくなり、装置全体のコンパクト化が困難になる問題を有している。
【０００５】
また、特開平６−３６１０９号公報に記載されている装置の突起部を有するゴムローラを一時貯留部に設けたとしても、このゴムローラから離れた位置で架橋状態が生じた場合には硬貨の詰まりを解消できず、また、ゴムローラを回転させる駆動源を設ける必要があり、ゴムローラとともにコスト高となる問題を有している。
【０００６】
本発明は上記問題点に鑑みなされたもので、硬貨を一時貯留する硬貨貯留部における硬貨の架橋状態を確実に崩すことができる硬貨処理機を提供するものである。
【０００７】
【課題を解決するための手段】
請求項１記載の発明の硬貨処理機は、入金された硬貨を一時貯留する一時貯留部と、この一時貯留部に一時貯留された硬貨を収納する収納部とを有する硬貨処理機において、前記一時貯留部は上下方向に開口した一時保留枠を含み、この一時保留枠の一側面が切り欠き開口され、この開口に案内部を臨ませ、この案内部と前記一時貯留部とを相対的に水平移動させて前記案内部とこの案内部と向き合う前記一時貯留部を形成する一時保留枠の内面との間で架橋状となった硬貨を摺動により崩して前記一時貯留部の底面方向に落下させるものである。
【０００８】
そして、入金された硬貨を一時貯留部に貯留した後に、一時貯留部に貯留された硬貨を底面側から放出して収納部に収納する際に、一時貯留部と案内部とを相対的に水平移動させることにより、一時貯留枠の一側面の開口を介してこの案内部と向き合う一時貯留枠の内面との間で架橋状となった硬貨が摺動により崩され、硬貨は一時貯留部に残留することなく、硬貨貯留部に一時貯留された硬貨の全てを収納部に収納できる。
【０００９】
請求項２記載の発明の硬貨処理機は、入金された硬貨を一時貯留する一時貯留部と、この一時貯留部に一時貯留された硬貨を収納する収納部と、前記一時貯留部に貯留された硬貨を返却する返却部とを有する硬貨処理機において、前記一時貯留部は選択的に前記収納部と返却部に向けて水平移動可能とし、この一時保留部は上下方向に開口した一時保留枠を含み、この一時保留枠の一側面が切り欠き開口され、この開口に案内部を臨ませ、この案内部に沿って前記一時貯留部を前記収納部または返却部に向けて水平移動させて前記案内部とこの案内部と向き合う前記一時貯留部を形成する一時保留枠の内面との間で架橋状となった硬貨を摺動により崩して前記一時貯留部の底面方向に落下させて前記収納部または返却部に落下させるものである。
【００１０】
そして、入金された硬貨を一時貯留部に貯留した後に、一時貯留部に貯留された硬貨を底面側から放出して収納部に収納する際に、一時貯留部を案内部に沿って収納部または返却部に向けて水平移動させることにより、一時貯留枠の一側面の開口を介してこの案内部と向き合う一時貯留枠の内面との間で架橋状となった硬貨が崩され、硬貨は一時貯留部に残留することなく、硬貨貯留部に一時貯留された硬貨の全てを収納部に収納できる。
【００１１】
請求項３記載の発明の硬貨処理機は、請求項２記載の硬貨処理機において、案内部は収納部から返却部間に延在し、この案内部には一時貯留部に向けて突出した一以上の突出部を形成したものである。
【００１２】
そして、一時貯留部を収納部または返却部に向けて水平移動させることにより、一時貯留部の切り欠き開口部を介してこの案内部と向き合う一時貯留部の内面との間で架橋状となった硬貨は案内部に貯留部に向けて突出した一以上の突出部による衝撃、或いは突出部により架橋状態が不安定になり、架橋状態の硬貨が崩れ、一時貯留部に一時貯留された硬貨の全てを収納部または返却部に放出できる。
【００１３】
【発明の実施の形態】
次に、本発明の硬貨処理機の一実施の形態の構成を硬貨入金機の図面を参照して説明する。
【００１４】
この硬貨入金機の硬貨入金部の構成は、特開平８−１５３２３１号公報に記載されている構成が採られている。この構成は、図４において、機体１の上面前側には入金部２、前側下部には返却部３、この入金部２と返却部３との中間位置にはリジェクト硬貨返却部４がそれぞれ形成されている。
【００１５】
図３に示すように、前記機体１内の入金部２の下方には回転円盤５およびこの回転円盤５の上面周囲に周壁６が配設されている。この回転円盤５は、回転軸７を中心として硬貨送出用モータ８によって正転方向（硬貨送出方向）および逆転方向（硬貨戻し方向）に回転される。このモータ８の駆動軸９に取り付けた回転検知板10の歯車状周縁10a に臨ませて速度検知センサ11が配設されている。そして、このセンサ11によって前記モータ８の回転を検知し、前記回転円盤５の回転を一定速度に保つように構成されている。
【００１６】
また、前記周壁６は、前記回転円盤５の上面周囲に臨んで規制壁部14が形成され、この規制壁部14の上側からこの回転円盤５の内方へ突出する突出規制部15が形成され、この突出規制部15の上部から筒状壁部16が形成されている。この突出規制部15の下面と前記回転円盤５の上面との間には、硬貨が厚み方向に１枚進入可能とする間隔の間隙が形成されている。
【００１７】
さらに、前記周壁６の規制壁部14の後面側には開口部17が形成され、この開口部17に臨ませて前記回転円盤５の接線方向でかつ機体１の後方に向けて硬貨識別通路18が延設されている。この硬貨識別通路18は、前記回転円盤５の上面と同一高さに配設された通路底板19を有し、この通路底板19上の両側に側板20，21が配設されている。この一側側板20には、回転円盤５から送り出される硬貨の一側を案内する案内縁部22が形成され、また、他側側板21には、前記回転円盤５と周壁６との間の間隙に突出して硬貨を硬貨識別通路18内に取り込む導入部23が形成され、この導入部23の下流に連続して通路内方へ突出する案内縁部24が形成され、この案内縁部24の下流に連続して基準縁部25が形成されている。
【００１８】
また、前記硬貨識別通路18の上方には、搬送ベルト26がこの硬貨識別通路18の入口部のプーリ27と出口部のプーリ28との間に張設されている。この両プーリ27，28間で前記通路底板19に対向する搬送ベルト26の下側部分が複数のローラ29によって支持されている。各プーリ27，28およびローラ29は、通路底板19の上面に対して、搬送ベルト26の下面を処理硬貨のうち最も薄い硬貨の厚みより少し低い高さ位置に支持し、硬貨の進入によって硬貨の厚みの高さ位置まで上昇可能とする。
【００１９】
また、前記出口部のプーリ28にはプーリ30が連結され、このプーリ30と硬貨送出用モータ31の駆動軸に取り付けられたプーリ32との間に伝達ベルト33が張設されている。そして、この硬貨送出用モータ31によって、搬送ベルト26が正転方向（硬貨送出方向）および逆転方向（硬貨戻し方向）に回転駆動される。
【００２０】
また、前記硬貨識別通路18には、硬貨を識別する識別部35が配設されている。この識別部35は、他側側板21の基準縁部25を基準として、この基準縁部25に沿って搬送される硬貨を検知するフォトセンサ36、硬貨の孔の有無を検知するフォトセンサ37、硬貨の材質を検知する磁気センサ38を備えている。さらに、前記通路底板19には各センサ36，37の検知光通過用の検知孔39，40が形成されている。
【００２１】
さらに、前記硬貨識別通路18の出口部に臨んで、この硬貨識別通路18から送出される硬貨を受け取る硬貨受取枠41が配設されている。この硬貨受取枠41の上部は前記通路底板19よりも上方に突出され、前記硬貨識別通路18側および上方に開口する受取口42が形成されている。この硬貨受取枠41の下部にはシュート部43が形成され、このシュート部43の開口は一時貯留部44の移動域上に位置する。
【００２２】
また、前記硬貨受取枠41上には、前記硬貨識別通路18から送出される硬貨を停止可能とするストッパ45が配設されている。このストッパ45は、前記硬貨識別通路18からの硬貨送出方向の端部を基端としてこの基端側が支軸46によって回動可能に支持され、前記硬貨識別通路18に臨む先端に下方へ略Ｌ字状に折曲されて前記受取口42に入り込み可能とする入込み部47が形成され、この入込み部47の先端縁から下方に略Ｌ字状に折曲されて送出される硬貨を停止する一対の板状ストッパ片48が形成されている。
【００２３】
前記ストッパ45の下側にはストッパ用ソレノイド50が配設され、このソレノイド50のプランジャ50a がストッパ45に連結されている。そして、ソレノイド50の非励磁時に、図示しないスプリングなどの付勢力によって前記ストッパ45が上昇して硬貨の放出を許容する退避位置に移動し、また、励磁時に、ストッパ45が下降して前記硬貨識別通路18から送出される硬貨をストッパ片48で係止する進出位置へ移動する。なお、前記一対のストッパ片48は搬送ベルト26の両側に位置し、ストッパ45が上方の退避位置に移動しても搬送ベルト26と干渉することがない用になっている。
【００２４】
次に、図１および図２に示すように、前記機体１内の中段には前記一時貯留部44が配設されている。この一時貯留部44は機体１の前後方向に向って水平に機体１内に前後方向に固着した取り付け基板1aに固定された一時貯留底板51と、この一時貯留底板51上に上下方向に開口し前後方向に移動される一時貯留枠52とにて形成されている。
【００２５】
この一時貯留枠52の一側面は中間部から下端まで開口部53が切り欠き開口され、この開口部53に臨む前後面52a ，52b の一端縁にはこの一端縁に向って内端側から上下辺が拡開状に傾斜した一ないし複数の凹部54が上下に形成され、また、この一時貯留枠52の前後面52a ，52b の下端縁にはこの下端縁に向って内端側から左右辺を拡開状に傾斜した凹部55が左右に形成されている。
【００２６】
また、前記一時貯留底板51は前記一時貯留枠52の前後方向の長さより長く、前後端には図４に示す機体１内に設けた収納部56および前記返却部３の上面開口部の上方に臨ませた傾斜状の案内面57，58が形成されている。
【００２７】
また、図１および図２に示すように、この一時貯留底板51の上面には前後方向に延在して前記一時貯留枠52の前後面の下縁に形成した各凹部55に臨ませられて一時貯留枠52内に突出される断面略三角形状の突出部59が一ないし複数折り曲げ形成されている。
【００２８】
次に、前記一時貯留部44の一側面の開口部53に臨ませられて前記収納部56から返却部３の上方間に延在して前記機体１の取り付け基板1aに固定した案内部60が設けられている。この案内部60は前記一時貯留枠52の前記前後面の凹部54に臨ませられて一時貯留枠52の内方に突出される断面略三角形状の突出部61が複数折り曲げ形成されている。この案内部60は前記一時貯留部44を前記収納部56または返却部３に向けて水平移動させて前記案内部60とこの案内部60と向き合う前記一時貯留枠52の後面の内面との間で架橋状となった硬貨を崩して前記一時貯留枠52の底面方向に落下させて前記収納部56または返却部３に落下させるようになっている。
【００２９】
また、前記一時保留枠52を前後方向に移動させる移動手段は、機体１内の取り付け基板1aの前後部に配設されたプーリ62，63間に張設されたベルト64を有し、このベルト64が一時貯留枠52の一側面に固着した取り付け片65に連結されている連結片66に結合され、この連結片66は取り付け基板1aに前後方向に軸支された案内軸67に摺動自在に嵌合した摺動筒68に連結されている。そして、前記プーリ63に連結されたモータ69（図５）の駆動によって、前記一時貯留枠52は硬貨受取枠41の下方の一時保留位置と、機体１の後部の収納位置52A と、機体１の前部の返却位置52B との間に移動される。
【００３０】
また、前記一時貯留枠52に貯留された硬貨を収納部56に収納する位置においては前記一時貯留底板51の後端案内面57が位置されて前記一時貯留枠52の底部が開口され、この一時貯留枠52の底部が開口された下方に硬貨を収納する収納箱が着脱可能に配設され、また、前記一時貯留枠52に貯留された硬貨を返却部３に返却する返却位置においては前記一時貯留底板51の後端案内面58が位置されて前記一時貯留枠52の底部が開口され、この一時貯留枠52の底部が開口された下方に返却硬貨を収納する返却箱（図示せず）が返却部３から着脱自在に配設されている。
【００３１】
さらに、図５に示すように、前記一時貯留枠52の底面開口部が一時貯留底板51に臨ませられている一時貯留部44が硬貨を受け入れる一時貯留位置を検出する定位置検知センサー70、前記一時貯留枠52の底面開口部が収納部56の上方に臨ませられている一時貯留部44が硬貨を収納部56に放出する位置を検出する収納位置検知センサー71、前記一時貯留枠52の底面開口部が返却部３の上方に臨ませられている一時貯留部44が硬貨を返却する位置を検出する返却位置検知センサー72および前記一時貯留部44が硬貨を受け入れる位置にて受け入れた入金硬貨の満杯状態を検出する満杯検知センサー73がそれぞれ設けられている。
【００３２】
なお、図３に示すように、前記硬貨識別通路18で入金不適正硬貨が識別されたとき、ストッパ45を進出させるとともに回転円盤５および搬送ベルト26を逆転させて、硬貨識別通路18上の入金不適正硬貨を含む硬貨を回転円盤５上へ戻した後、ストッパ45を退避させて回転円盤５および搬送ベルト26を正転させる入金不適正硬貨戻し手段を有し、入金不適正硬貨の識別が引き続き設定回数分連続したとき、ストッパ45を進出させて回転円盤５および搬送ベルト26を逆転させるとともに周壁６の一部に形成した可動壁部材74をソレノイド75により開放させて、硬貨識別通路18上の入金不適正硬貨を前記リジェクト硬貨返却口４へ放出させるようになっている。
【００３３】
次に、この実施の形態の作用を説明する。
【００３４】
入金硬貨が入金部２から円盤12上に投入され、モータ８，31を正転駆動して回転円盤５および搬送ベルト26を正転させる。この回転円盤５上の硬貨は、回転円盤５の回転による遠心力によって回転円盤５の周縁に寄せられ、回転円盤５と周壁６の突出規制部15との間の間隙に厚み方向に１枚ずつ進入して規制壁部14および閉塞位置にある可動壁部材74に当接しながら移動し、規制壁部14が開口された開口部17から硬貨識別通路18に１列１層状態で送り出される。
【００３５】
次いで、硬貨識別通路18に送り出される硬貨は、搬送ベルト26の下側に進入して、通路底板19に押し付けられながら搬送される。搬送ベルト26で搬送される硬貨は、側板21の案内縁部24に当接して通路内方へ移動されながら基準縁部25に沿って搬送される。
【００３６】
硬貨が基準縁部25に沿って搬送される間に識別部35を通過し、センサ36によって硬貨が基準縁部25に沿って搬送されているか確認し、センサ37によって硬貨の孔の有無を検知し、センサ38によって硬貨の材質を検知する。これらのセンサ36，37，38によって入金適正硬貨と識別された硬貨は、硬貨識別通路18の出口部から退避位置にあるストッパ45の下側を通じて硬貨受取枠41に放出され、この硬貨受取枠41のシュート部の下方の一時貯留位置に待機されている一時貯留部44の一時貯留枠52内に収納されて一時貯留される。
【００３７】
そして、投入された全ての入金硬貨が回転円盤５および硬貨識別通路18から送り出され、識別部35が硬貨を所定時間検知しない状態が継続するとモータ８，31を停止する。
【００３８】
この状態で、入金承認を操作キーなどにより入力すると、モータ69を正転駆動し、一時貯留部44の一時貯留枠52を後方へ移動させ、一時貯留枠52は収納位置（図２に示す52A 位置）で一時貯留底板51から外れたとき、収納位置検知センサー71が一時貯留枠52を検知し、モータ69は停止して一時貯留枠52はその位置で停止する。そして、一時貯留枠52の底部は開放されて一時貯留枠52内の硬貨が収納部56に放出されて収納される。
【００３９】
また、入金不承認を操作キーなどにより入力すると、モータ69を逆転駆動し、一時貯留枠52を前方へ移動させ、一時貯留枠52は返却位置（図２示す52B 位置）で一時貯留底板51から外れたとき、返却位置検知センサー72が一時貯留枠52を検知してモータ69は停止し、その位置で一時貯留枠52は停止する。そして、一時貯留枠52の底部が開放されて一時貯留枠52内の硬貨が返却部３に放出されて収納される。
【００４０】
なお、モータ69の駆動により一時貯留枠52が次の入金に備えて一時保留位置に復帰するときには、定位置検知センサー70が検知したとき、モータ69を停止し、定位置に復帰する。
【００４１】
そして、一時貯留部44に貯留した後に、一時貯留部44に貯留された硬貨を底面側から収納部56または返却部３に向けて水平移動したとき、一時貯留枠52の一側面の開口部53に臨ませた固定案内部60とこの一時貯留枠52内に滞積した硬貨とが摺動され、案内部60とこの案内部60と向き合う一時貯留枠52の内面との間で架橋状となった硬貨Ｃが崩され、硬貨は一時貯留部44に残留することなく、一時貯留部44に一時貯留された硬貨の全ては収納部56または返却部３に放出される。
【００４２】
さらに、突出部61を複数上下に形成することにより架橋状態を崩された硬貨Ｃは突出部61の頂部または傾斜面接触して再び硬貨Ｃの架橋状態が形成されることを防止できる
また、案内部60に一時貯留枠52の前後面の凹部54に臨ませられて一時貯留枠52の内方に突出される突出部61を形成することにより、一時貯留部44を収納部56または返却部３に向けて水平移動させて前記案内部60とこの案内部60と向き合う前記一時貯留枠52の後面の内面との間で架橋状となった硬貨は確実に崩され、一時貯留枠52の前後面の凹部54間の一側に突出した部分54a は突出部61に入り込み、硬貨を取り残すことなく確実に収納部56または返却部３に移送される。
【００４３】
さらに、一時貯留部44の一時貯留枠52の底面開口部に臨ませられる一時貯留底板51の上面に前後方向に延在して一時貯留枠52の前後面の下縁に形成した各凹部55に臨ませられて一時貯留枠52内に突出される断面略三角形状の突出部59により、硬貨は一時貯留底板51に密着して残留することなく、一時貯留枠52の前後面の下縁に形成した各凹部55間の下側に突出した部分55a により確実に収納部56または返却部３に移送される。
【００４４】
また、入金硬貨の識別一時保留動作中に、識別部35によって入金不適正硬貨を識別すると、ソレノイド50を励磁して、ストッパ45を下方の進出位置に移動させ、硬貨識別通路18から放出されようとする入金不適正硬貨を停止し、かつ、モータ８，31を逆転駆動して、回転円盤５および搬送ベルト26を逆転させ、硬貨識別通路18上の入金不適正硬貨を含む硬貨を回転円盤５上へ戻す。その後、ソレノイド31を非励磁として、ストッパ45を上方の退避位置に移動させ、回転円盤５および搬送ベルト26を正転駆動し、入金硬貨の識別一時貯留動作を継続する。
【００４５】
このように、識別部35によって入金不適正硬貨を識別すると、硬貨識別通路18上の硬貨を回転円盤５上に戻した後、入金硬貨の識別一時保留動作を再開する。この入金不適正硬貨が識別された回数が設定回数に至るまでに、入金硬貨の識別一時貯留が終了した場合には、入金承認または不承認の入力待ちとなる。
【００４６】
また、入金硬貨の識別一時貯留動作中に、識別部35によって入金不適正硬貨を識別し、この入金不適正硬貨の識別が引き続き設定回数分（例えば３回）連続したときには、不適正硬貨返却動作を行なう。ソレノイド50を励磁して、ストッパ45を下方の進出位置に移動させ、かつ、モータ８，31を逆転駆動して、回転円盤５および搬送ベルト26を逆転させ、同時に、ソレノイド75を励磁して、可動壁部材74を開放位置に移動させ、ストッパ45で硬貨識別通路18から放出されようとする入金不適正硬貨を停止し、この入金不適正硬貨を硬貨識別通路18から回転円盤５上へ戻すとともに回転円盤５の逆転による遠心力によって開口部76から送り出す。開口部76から送り出される入金不適正硬貨は、リジェクト硬貨返却部４から取出可能となる。
【００４７】
なお、この実施の形態では、案内部60を固定した構造としたが、案内部60を一時貯留部44の移動方向と反対側に一時貯留部44と同時に移動させる構成とすることもできる。
【００４８】
また、この実施の形態では、案内部60には一時貯留枠52の内方に突出される断面略三角形状の突出部61を収納部56から返却部３の間に亙って連続して形成した構成としたが、水平方向および上下方向に間隔をおいて多数の突出部を膨出形成した構成とすることもできる。
【００４９】
次に、他の実施の形態を図６に基いて説明する。
【００５０】
前記実施の形態では、一時貯留部44を収納部56または返却部３に向って移動させるとともに案内部60を固定した構成としたが、この実施の形態では、一時貯留部44を固定し、案内部60を移動させる構成としたものである。
【００５１】
図６において、入金された硬貨が案内されて一時貯留される一時貯留部44の一時貯留枠80は上下面を開口し、下面開口部には一時貯留底面51を形成する開閉自在の底板81，81が左右に設けられている。また、この一時貯留枠80の一側面には開口部53が一側面の全幅に亙って形成されている。
【００５２】
また、この一時貯留枠80の一側面の開口部53部に臨ませて水平方向に案内部60が移動自在に設けられている。
【００５３】
さらに、前記一時貯留枠80の下面開口部の下方に臨ませて収納部56が設けられ、一時貯留底面51を形成する底板81，81の開口で一時貯留された硬貨は収納部56に収納される。
【００５４】
そして、入金された硬貨を一時貯留部44に貯留した後に、底板81，81を入金処理入力によりモータまたはソレノイドなどの適宜の電気駆動手段にて開放し、一時貯留部44に貯留された硬貨を底面開口部から放出して収納部56に収納する際に、案内部60が水平移動させることにより、一時貯留部44の開口部53を介してこの案内部60と向き合う一時貯留部44の内面との間で架橋状となった硬貨が崩され、硬貨は一時貯留部44に残留することなく、硬貨貯留部44に一時貯留された硬貨の全てを収納部56に収納できる。
【００５５】
また、実施の形態において、一時貯留部44の下面開口部に前記図１および図２に示す一時貯留底板を設け、この一時貯留部44も水平移動させ、この一時貯留部44の移動位置で一時貯留底板から外れて下面を開口してその位置から下方の収納部56に収納させるようにすることもできる。
【００５６】
さらに、図７に示すように、一時貯留部44の一時貯留枠85を固定位置に取り付け、この一時貯留枠85の直交する面に上下位置を変位させてそれぞれ開口部を形成し、この開口部に臨ませてそれぞれ水平方向に移動する案内部60，60a を配設する構成とし、前記一時貯留枠80の下面開口部の下方に臨ませて収納部を設け、一時貯留底面51を形成する底板81，81の開口で一時貯留された硬貨は下方の収納部56に収納されるようにすることもできる。
【００５７】
そして、硬貨を一時貯留した一時貯留部44の一時貯留枠85の下面を開放するとともに案内部60，60a をそれぞれ水平移動させることにより、この案内部60，60a とこの案内部60，60a とそれぞれ向き合う一時貯留枠85の内面との間で架橋状となった硬貨を崩して一時貯留部44の底面方向に落下させて収納部に落下させるものである。
【００５８】
また、図６および図７に示す案内部60，60a にも図１および図２に示す一時貯留部44内に突出する突出部を形成することもできる。
【００５９】
【発明の効果】
請求項１記載の発明によれば、入金された硬貨を一時貯留部に貯留した後に、一時貯留部に貯留された硬貨を底面側から放出して収納部に収納する際に、一時貯留部と案内部とを相対的に水平移動させることにより、一時貯留枠の一側面の開口を介してこの案内部と向き合う一時貯留枠の内面との間で架橋状となった硬貨が摺動により崩され、硬貨は一時貯留部に残留することなく、硬貨貯留部に一時貯留された硬貨の全てを収納部に収納でき、一時保留部の案内部を臨ませた面とこの面に対向する面との間の寸法を大きくする必要がなく、一時貯留部の大きさを小さくでき、装置全体の小形化が可能となる。
【００６０】
請求項２記載の発明によれば、入金された硬貨を一時貯留部に貯留した後に、一時貯留部に貯留された硬貨を底面側から放出して収納部に収納する際に、一時貯留部を案内部に沿って収納部または返却部に向けて水平移動させることにより、一時貯留枠の一側面の開口を介してこの案内部と向き合う一時貯留枠の内面との間で架橋状となった硬貨が摺動により崩され、硬貨は一時貯留部に残留することなく、硬貨貯留部に一時貯留された硬貨の全てを収納部に収納でき、硬貨の架橋状態を崩すための駆動源を必要とせずに、硬貨の収納または返却動作の一時保留部の移動で硬貨の架橋状態を崩すことができ、一時保留部の案内部を臨ませた面とこの面に対向する面との間の寸法を大きくする必要がなく、一時貯留部の大きさを小さくでき、装置全体の小形化が可能で安価に得られる。
【００６１】
請求項３記載の発明によれば、案内部の突出部により架橋状態の硬貨が崩れ、架橋状態を崩された硬貨は突出部の頂部または傾斜面接触して再び硬貨の架橋状態が形成されることを防止できる。
【図面の簡単な説明】
【図１】本発明の一実施の形態を示す硬貨処理機の正面図である。
【図２】同上実施の形態の硬貨処理機の側面図である。
【図３】同上実施の形態の硬貨処理機を用いた硬貨入金機の平面図である。
【図４】同上硬貨入金機の説明側面図である。
【図５】同上硬貨入金機の硬貨一時貯留部の動作を示す説明側面図である。
【図６】本発明の他の実施の形態を示す硬貨処理機の正面図である。
【図７】本発明のさらに他の実施の形態を示す硬貨処理機の平面図である。
【符号の説明】
３    返却部
44    一時貯留部
53    開口部
56    収納部
60    案内部
61    突出部
【図１】
0003725659.tif 000002
【図２】
0003725659.tif 000003
【図３】
0003725659.tif 000004
【図４】
0003725659.tif 000005
【図５】
0003725659.tif 000006
【図６】
0003725659.tif 000007
【図７】
0003725659.tif 000008